(57)【要約】【課題】新たな部品を追加することなく、過大入力があったときにボイスコイルへの入力を自動的に抑制・遮断して過熱を抑制し、通常温度まで低下した時には正常動作に復帰してボイスコイルへの入力を持続できるスピーカーを提供する。【解決手段】磁石とボイスコイルを用いて電気信号を空気振動に変換する形式のスピーカにおいて、入力端子と前記ボイスコイルを、ＰＴＣ特性を有する導体からなる錦糸線で結線している。【選択図】図４
2005109689.tif 000002
【特許請求の範囲】
【請求項１】
磁石とボイスコイルを用いて電気信号を空気振動に変換する形式のスピーカにおいて、入力端子と前記ボイスコイルを、ＰＴＣ特性を有する導体からなる錦糸線で結線していることを特徴とするスピーカー。
【請求項２】
前記ＰＴＣ特性を有する導体は、耐熱性繊維の外周にＰＴＣ特性を持つ導電性ポリマー箔を巻き付けたものであることを特徴とする請求項１に記載のスピーカー。
【請求項３】
前記ＰＴＣ特性を持つ導電性ポリマー箔は、ポリオレフィンにフッ素樹脂と導電性粒子を混入させ箔状に加工したものであることを特徴とする請求項２に記載のスピーカー。
【発明の詳細な説明】
【技術分野】
【０００１】
本発明はスピーカーとりわけ過大電流を遮断する機能を有するスピーカーに関する。
【背景技術】
【０００２】
ダイナミック型スピーカーで代表される、磁石とボイスコイルを用いて電気信号を空気振動に変換する形式のスピーカにおいては、入力信号の配線構造として、フレームに端子を設け、この端子とボイスコイルの間を錦糸線で結線している。
前記錦糸線は、通常、屈曲強度に優れた耐熱性繊維の糸のまわりにリボン状の箔に銅線を巻き付けた構造となっており、スピー力ーの耐入力仕様により、この構造の錦糸線を何本か撚って強度を持たせた構造も採用されている。
【０００３】
錦糸線の導体は銅ないしその合金であり、抵抗値は非常に小さいため、端子へに印加された入力電圧はそのままボイスコイルの両端の電圧と等しい大きさで印可される。
このため、たとえば使用環境の温度が高い条件下でフルボリュームで入力信号を印加したような場合など、過大入力が許容値を越えた場合には、ボイスコイルが大きく発熱し、該ボイスコイルの発熱によりコイル線が断線する問題があり、さらにはダンパが燃え、振動板に燃え移る事態を引き起こす危険もあった。
【０００４】
この対策として、特許文献に示す先行技術においては、錦糸線と接続する端子にワッシャ型のヒューズを装着し、許容値以上の入力が印加された時にヒューズを溶融脱落させて導通経路を遮断するようにしている。
しかし、この構造では、別部品としてのヒューズを用意し、それを端子に取付けなければならないのでコストアップを招き、しかもサージ電流での誤作動の可能性があり、かつまた復帰性がないため、１度作動すると新たなヒューズと交換して装着することが必要になるので面倒であるという問題があった。
【特許文献１】特開平８−２８９３９５号公報
【発明の開示】
【発明が解決しようとする課題】
【０００５】
本発明は前記のような問題点を解消するためになされたもので、その目的とするところは、新たな部品を追加することなく、過大入力があったときにボイスコイルへの入力を自動的に抑制・遮断して過熱を抑制し、通常温度まで低下した時には正常動作に復帰してボイスコイルへの入力を持続できるスピーカーを提供することにある。
【課題を解決するための手段】
【０００６】
上記目的を達成するため本発明は、磁石とボイスコイルを用いて電気信号を空気振動に変換する形式のスピーカにおいて、入力端子と前記ボイスコイルを、ＰＴＣ特性を有する導体からなる錦糸線で結線していることを特徴としている。
【発明の効果】
【０００７】
錦糸線の導体は通常温度では抵抗が極めて小さいので、端子に印加された電圧はボイスコイルにそのままの電圧で印加され、ボイスコイルと振動板により良好な音響特性を発揮するが、端子に過大入力が印加されると、錦糸線は自己発熱で抵抗値が急上昇し、ボイスコイルヘの入力を抑制・遮断する。したがって、ボイスコイルの発熱とこれによるコイル線の断線を防止できる。しかも、その後印加電圧が下がり、通常温度まで低下した場合は、錦糸線の抵抗値が低下して正常動作に復帰するので、メンテナンスフリーとすることができる。
錦糸線それ自体が遮断特性を有しているおり、新たに部品等を追加する必要がないので、スピーカーの組み立てが容易である。
【発明を実施するための最良の形態】
【０００８】
前記ＰＴＣ特性を有する導体は、好適には、耐熱性繊維の外周にＰＴＣ特性を持つ導電性ポリマー箔を巻き付けたものであり、そのＰＴＣ特性を持つ導電性ポリマー箔は、ポリオレフィンにフッ素樹脂と導電性粒子を混入させ箔状に加工したものからなっている。
【実施例１】
【０００９】
以下添付図面を参照して本発明の実施例を説明する。
図１は本発明を適用したコーンスピーカーを示しており、１はフレーム、２はフレームの底部に固定されたリング状のプレート、３はプレートと対峙し中央の突柱がプレートの穴に進出したポールピース、４はポールピースを外囲する磁石、５はボイスコイルで、ポールピース３の突柱の外周に沿って図示しないコイルボビンに巻装されている。６は振動板としてのコーンであり、ボイスコイルの巻装部から外部側に延長され、先端のエッジがガスケットによりフレーム１に取付けられている。７はフレームとボイスコイルの付根を結ぶスパイダー（ダンパ）である。
【００１０】
８は入力配線としての錦糸線であり、一端がフレーム１に設けた端子９に接続され、他端が、高さ方向でコーン６とスパイダー７の中間位置において、コーンの外表面のボイスコイル線と結線され、図４のような等価回路を構成している。
【００１１】
こうした構成は従来のスピーカーと同様であるが、本発明は、前記錦糸線８を特殊な構成としている。すなわち図２と図３のように、アラミド、超高分子量ポリエチレン繊維、全芳香族ポリエステル繊維などから選ばれる束状の耐熱性繊維１０の外周に、正の抵抗度係数（ＰＴＣ：Positive Temperature Coefficient）特性を有する導電性ポリマー箔１１をスパイラル状に巻き、これの外周にワックスなどの被膜１２を施している。
【００１２】
前記導電性ポリマー箔１１は、高密度結晶性高分子と導電性粒子との粒子分散系高分子複合薄層体であり、具体的には、変性ポリエチレンやポリプロピレンで代表されるポリオレフィンをマトリックス１１０とし、これにカーボンあるいは導電性酸化物で代表される微細な導電性物質の粒子１１１と、導電性ポリマー箔の主成分となるとともに、ＰＣＴ特性を持たせるためのフッ素樹脂をそれぞれ所定の配合比で添加して混錬し、たとえば厚さ０．０１２ｍｍ、幅：１．５ｍｍのテープ状に圧延したものである。
【００１３】
なお、本発明において、錦糸線８は、前記構成の複数本を撚り合せあるいは編組したものも含まれる。
図示するものは振動板がコーンであるが、これに限らず、ホーン型、ドーム型など各種のダイナミック型スピーカーも含まれる。
【００１４】
本発明の作用を説明すると、フレーム１に設けられている端子９に電圧を印加すれば、錦糸線８を通してボイスコイル５に電圧が印加されるが、定常状態においては錦糸線８の導体である導電性ポリマー箔１１に分散している導電性粒子１１１が無数の導電経路を形成しているので、図５のように抵抗値は１／１００Ω程度と無視できる数値に保たれ、ボイスコイル５には十分な電印加され、周囲の磁力と反応してコーン６を振動させる。
【００１５】
スピーカーの置かれた環境雰囲気の温度が常温から上昇したり、電流値が高くなると、マトリックス１１０が熱膨張して導電性粒子１１１の導電経路が徐々に切断されて抵抗値が上昇するが、その抵抗値の上昇は８０℃程度までは緩やかであり、前記したボイスコイル５による音響効果は持続される。
そして、何らかの原因で端子９から導電性ポリマー箔１１に過電流が流れると、マトリックス１１０がジュール熱による自己発熱で急激に温度上昇し、導電性粒子１１１の導電経路が切断され、抵抗値が１０5〜106Ωと急激に増大し、ボイスコイル５ヘの入力を微小なレベルに制限する。  したがって、ボイスコイルの発熱とこれによるコイル線の断線を確実に防止することができる。その後、異常が除去され、導電性ポリマー箔１１が通常温度まで低下すれば、抵抗が元の低く値に復帰され、ボイスコイル５には十分な電印加される。
【図面の簡単な説明】
【００１６】
【図１】本発明によるスピーカの一例を示す断面図である。
【図２】図１における錦糸線の部分的拡大斜視図である。
【図３】図２のＩＩＩ−ＩＩＩ線に沿う拡大断面である。
【図４】本発明の等価回路図である。
【図５】錦糸線の温度と抵抗の関係を示す線図である。
【符号の説明】
【００１７】
４  磁石
５  ボイスコイル
８  錦糸線
９  端子
１０  耐熱繊維
１１  導電性ポリマー箔
１１０  マトリックス
１１１  導電性粒子
【図１】
2005109689.tif 000003
【図２】
2005109689.tif 000004
【図３】
2005109689.tif 000005
【図４】
2005109689.tif 000006
【図５】
2005109689.tif 000007